【手続補正書】
【提出日】平成20年5月7日(2008.5.7)
【手続補正１】
【補正対象書類名】明細書
【補正対象項目名】特許請求の範囲
【補正方法】変更
【補正の内容】
【特許請求の範囲】    
【請求項１】
少なくともアドレス期間を有するサブフィールドを用いて表示するプラズマディスプレイパネルの駆動方法において、
温度が第１の温度である場合には、アドレス期間において第１の幅のアドレスパルスをアドレス電極に印加し、
温度が前記第１の温度よりも高い第２の温度である場合には、アドレス期間において前記第１の幅よりも短い第２の幅のアドレスパルスを前記アドレス電極に印加することを特徴とするプラズマディスプレイパネルの駆動方法。
【請求項２】
少なくともアドレス期間を有するサブフィールドを用いて表示するプラズマディスプレイパネルの駆動方法において、
温度が第１の温度である場合には、アドレス期間において第１の幅のスキャンパルスを表示電極に印加し、
温度が前記第１の温度よりも高い第２の温度である場合には、アドレス期間において前記第１の幅よりも短い第２の幅のスキャンパルスを前記表示電極に印加することを特徴とするプラズマディスプレイパネルの駆動方法。
【請求項３】
請求項１記載のプラズマディスプレイパネルの駆動方法において、
温度が前記第１の温度である場合には、アドレス期間において前記第１の幅のアドレスパルスに対応する幅のスキャンパルスを表示電極に印加し、
温度が前記第２の温度である場合には、アドレス期間において前記第２の幅のアドレスパルスに対応する幅のスキャンパルスを前記表示電極に印加することを特徴とするプラズマディスプレイパネルの駆動方法。
【請求項４】  
請求項２記載のプラズマディスプレイパネルの駆動方法において、
温度が前記第１の温度である場合には、アドレス期間において前記第１の幅のスキャンパルスに対応する幅のアドレスパルスをアドレス電極に印加し、
温度が前記第２の温度である場合には、アドレス期間において前記第２の幅のスキャンパルスに対応する幅のアドレスパルスを前記アドレス電極に印加することを特徴とするプラズマディスプレイパネルの駆動方法。
【請求項５】
請求項１から４の何れか記載のプラズマディスプレイパネルの駆動方法において、
温度が前記第１の温度である場合には、アドレス期間の長さを第１の長さとし、
温度が前記第２の温度である場合には、アドレス期間の長さを前記第１の長さより短い第２の長さとすることを特徴とするプラズマディスプレイパネルの駆動方法。
【請求項６】
請求項１、３から５の何れか記載のプラズマディスプレイパネルの駆動方法において、
温度が前記第１の温度の場合には、前記アドレスパルスの幅を第１の幅とし、
温度が前記第１の温度よりも高い前記第２の温度の場合には、前記アドレスパルスの幅を前記第１の幅より短い第２の幅とし、
温度が前記第２の温度よりも高い第３の温度の場合には、前記アドレスパルスの幅を前記第２の幅より短い第３の幅とすることを特徴とするプラズマディスプレイパネルの駆動方法。
【請求項７】
請求項２から６の何れか記載のプラズマディスプレイパネルの駆動方法において、
温度が前記第１の温度の場合には、前記スキャンパルスの幅を第１の幅とし、
温度が前記第１の温度よりも高い前記第２の温度の場合には、前記スキャンパルスの幅を前記第１の幅より短い第２の幅とし、
温度が前記第２の温度よりも高い第３の温度の場合には、前記スキャンパルスの幅を前記第２の幅より短い第３の幅とすることを特徴とするプラズマディスプレイパネルの駆動方法。
【請求項８】
請求項１から７の何れか記載のプラズマディスプレイパネルの駆動方法において、
リセット期間において、時間の経過に伴って電圧値が増大する正極性のパルスを含むリセットパルスを前記表示電極に印加することを特徴とするプラズマディスプレイパネルの駆動方法。
【請求項９】
請求項１から８の何れか記載のプラズマディスプレイパネルの駆動方法において、
リセット期間において、時間の経過に伴って電圧値が減少する負極性のパルスを含むリセットパルスを前記表示電極に印加することを特徴とするプラズマディスプレイパネルの駆動方法。
【請求項１０】  
請求項２から９の何れか記載のプラズマディスプレイパネルの駆動方法において、
アドレス期間に前記表示電極に印加されるスキャンパルスの到達電位が、リセット期間に前記表示電極に印加される負極性のリセットパルスの到達電位よりも低いことを特徴とするプラズマディスプレイパネルの駆動方法。
【請求項１１】  
請求項２から１０の何れか記載のプラズマディスプレイパネルの駆動方法において、
アドレス期間のセル非選択時に、前記表示電極に一定電位が印加されることを特徴とするプラズマディスプレイパネルの駆動方法。
【請求項１２】  
少なくともアドレス期間を有するサブフィールドを用いて表示するプラズマディスプレイパネルの駆動方法において、
温度が第１の温度である場合のアドレス期間を第１のアドレス期間とし、
温度が前記第１の温度より高い第２の温度である場合のアドレス期間を第２のアドレス期間としたとき、
前記第２のアドレス期間は前記第１のアドレス期間よりも短いことを特徴とするプラズマディスプレイパネルの駆動方法。
【請求項１３】  
請求項１２記載のプラズマディスプレイパネルの駆動方法において、
温度が前記第１の温度である場合には、アドレス期間において第１の幅のアドレスパルスをアドレス電極に印加し、
温度が前記第２の温度である場合には、アドレス期間において前記第１の幅よりも短い第２の幅のアドレスパルスを前記アドレス電極に印加することを特徴とするプラズマディスプレイパネルの駆動方法。
【請求項１４】  
請求項１２記載のプラズマディスプレイパネルの駆動方法において、
温度が前記第１の温度である場合には、アドレス期間において第１の幅のスキャンパルスを表示電極に印加し、
温度が前記第２の温度である場合には、アドレス期間において前記第１の幅よりも短い第２の幅のスキャンパルスを前記表示電極に印加することを特徴とするプラズマディスプレイパネルの駆動方法。
【請求項１５】
請求項１３記載のプラズマディスプレイパネルの駆動方法において、
温度が前記第１の温度である場合には、アドレス期間において前記第１の幅のアドレスパルスに対応する幅のスキャンパルスを表示電極に印加し、
温度が前記第２の温度である場合には、アドレス期間において第２の幅のアドレスパルスに対応する幅のスキャンパルスを前記表示電極に印加することを特徴とするプラズマディスプレイパネルの駆動方法。
【請求項１６】
請求項１４記載のプラズマディスプレイパネルの駆動方法において、
温度が前記第１の温度である場合には、アドレス期間において前記第１の幅のスキャンパルスに対応する幅のアドレスパルスをアドレス電極に印加し、
温度が前記第２の温度である場合には、アドレス期間において第２の幅のスキャンパルスに対応する幅のアドレスパルスを前記アドレス電極に印加することを特徴とするプラズマディスプレイパネルの駆動方法。
【請求項１７】
請求項１２、１４から１６の何れか記載のプラズマディスプレイパネルの駆動方法において、
温度が前記第１の温度の場合には、前記アドレスパルスの幅を第１の幅とし、
温度が前記第１の温度よりも高い前記第２の温度の場合には、前記アドレスパルスの幅を前記第１の幅より短い第２の幅とし、
温度が前記第２の温度よりも高い第３の温度の場合には、前記アドレスパルスの幅を前記第２の幅より短い第３の幅とすることを特徴とするプラズマディスプレイパネルの駆動方法。
【請求項１８】  
請求項１３から１６の何れか記載のプラズマディスプレイパネルの駆動方法において、
温度が前記第１の温度の場合には、前記スキャンパルスの幅を第１の幅とし、
温度が前記第１の温度よりも高い前記第２の温度の場合には、前記スキャンパルスの幅を前記第１の幅より短い第２の幅とし、
温度が前記第２の温度よりも高い第３の温度の場合には、前記スキャンパルスの幅を前記第２の幅より短い第３の幅とすることを特徴とするプラズマディスプレイパネルの駆動方法。
【請求項１９】  
請求項１３から１８の何れか記載のプラズマディスプレイパネルの駆動方法において、
アドレス期間に前記表示電極に印加されるスキャンパルスの到達電位が、リセット期間に前記表示電極に印加される負極性のリセットパルスの到達電位よりも低いことを特徴とするプラズマディスプレイパネルの駆動方法。
【請求項２０】
請求項１３から１８の何れか記載のプラズマディスプレイパネルの駆動方法において、
アドレス期間のセル非選択時に、前記表示電極に一定電位が印加されることを特徴とするプラズマディスプレイパネルの駆動方法。
【請求項２１】
少なくともアドレス期間を有するサブフィールドを用いて表示するプラズマディスプレイパネルにおいて、
第１の基板に形成され、第１方向に伸びるアドレス電極と、
前記第１の基板に対向する第２の基板に形成され、前記第１方向と交差する第２方向に伸びる表示電極と、
前記アドレス電極にパルスを印加する第１の駆動部と、
前記表示電極にパルスを印加する第２の駆動部と、
温度を検出する温度検出器と、を備え、
前記第１の駆動部は、温度が第１の温度である場合には、アドレス期間において第１の幅のアドレスパルスを前記アドレス電極に印加し、温度が前記第１の温度よりも高い第２の温度である場合には、アドレス期間において前記第１の幅よりも短い第２の幅のアドレスパルスを前記アドレス電極に印加することを特徴とするプラズマディスプレイパネル。
【請求項２２】  
少なくともアドレス期間を有するサブフィールドを用いて表示するプラズマディスプレイパネルにおいて、
第１の基板に形成され、第１方向に伸びるアドレス電極と、
前記第１の基板に対向する第２の基板に形成され、前記第１方向と交差する第２方向に伸びる表示電極と、
前記アドレス電極にパルスを印加する第１の駆動部と、
前記表示電極にパルスを印加する第２の駆動部と、
温度を検出する温度検出器と、を備え、
前記第２の駆動部は、温度が第１の温度である場合には、アドレス期間において第１の幅のスキャンパルスを前記表示電極に印加し、温度が前記第１の温度よりも高い第２の温度である場合には、アドレス期間において前記第１の幅よりも短い第２の幅のスキャンパルスを前記表示電極に印加することを特徴とするプラズマディスプレイパネル。
【請求項２３】  
請求項２１記載のプラズマディスプレイパネルにおいて、
前記第２の駆動部は、温度が第１の温度である場合には、アドレス期間において前記第１の幅のアドレスパルスに対応する第１の幅のスキャンパルスを前記表示電極に印加し、温度が前記第２の温度である場合には、アドレス期間において第２の幅のアドレスパルスに対応する第２の幅のスキャンパルスを前記表示電極に印加することを特徴とするプラズマディスプレイパネル。
【請求項２４】  
請求項２２記載のプラズマディスプレイパネルにおいて、
前記第１の駆動部は、温度が第１の温度である場合には、アドレス期間において前記第１の幅のスキャンパルスに対応する第１の幅のアドレスパルスを前記アドレス電極に印加し、温度が前記第２の温度である場合には、アドレス期間において第２の幅のスキャンパルスに対応する第２の幅のアドレスパルスを前記アドレス電極に印加することを特徴とするプラズマディスプレイパネル。
【請求項２５】  
請求項２１から２４の何れか記載のプラズマディスプレイパネルにおいて、
温度が前記第１の温度である場合には、アドレス期間の長さを第１の長さとし、
温度が前記第２の温度である場合には、アドレス期間の長さを前記第１の長さより短い第２の長さとすることを特徴とするプラズマディスプレイパネル。
【請求項２６】  
請求項２１、２３から２５の何れか記載のプラズマディスプレイパネルにおいて、
温度が前記第１の温度の場合には、前記アドレスパルスの幅を第１の幅とし、
温度が前記第１の温度よりも高い前記第２の温度の場合には、前記アドレスパルスの幅を前記第１の幅より短い第２の幅とし、
温度が前記第２の温度よりも高い第３の温度の場合には、前記アドレスパルスの幅を前記第２の幅より短い第３の幅とすることを特徴とするプラズマディスプレイパネル。
【請求項２７】  
請求項２２から２６の何れか記載のプラズマディスプレイパネルにおいて、
温度が前記第１の温度の場合には、前記スキャンパルスの幅を第１の幅とし、
温度が前記第１の温度よりも高い前記第２の温度の場合には、前記スキャンパルスの幅を前記第１の幅より短い第２の幅とし、
温度が前記第２の温度よりも高い第３の温度の場合には、前記スキャンパルスの幅を前記第２の幅より短い第３の幅とすることを特徴とするプラズマディスプレイパネル。
【請求項２８】  
請求項２１から２７の何れか記載のプラズマディスプレイパネルにおいて、
前記第２の駆動部は、リセット期間において、時間の経過に伴って電圧値が増大する正極性のパルスを含むリセットパルスを前記表示電極に印加することを特徴とするプラズマディスプレイパネル。
【請求項２９】  
請求項２１から２８の何れか記載のプラズマディスプレイパネルにおいて、
前記第２の駆動部は、リセット期間において、時間の経過に伴って電圧値が減少する負極性のパルスを含むリセットパルスを前記表示電極に印加することを特徴とするプラズマディスプレイパネル。
【請求項３０】  
請求項２２からの２９の何れか記載のプラズマディスプレイパネルにおいて、
アドレス期間に前記表示電極に印加されるスキャンパルスの到達電位が、リセット期間に前記表示電極に印加される負極性のリセットパルスの到達電位よりも低いことを特徴とするプラズマディスプレイパネル。
【請求項３１】  
請求項２２から３０の何れか記載のプラズマディスプレイパネルにおいて、
アドレス期間のセル非選択時に、前記表示電極に一定電位が印加されることを特徴とするプラズマディスプレイパネル。
【請求項３２】  
少なくともアドレス期間を有するサブフィールドを用いて表示するプラズマディスプレイパネルにおいて、
第１の基板に形成され、第１方向に伸びるアドレス電極と、
前記第１の基板に対向する第２の基板に形成され、前記第１方向と交差する第２方向に伸びる表示電極と、
前記アドレス電極にパルスを印加する第１の駆動部と、
前記表示電極にパルスを印加する第２の駆動部と、
温度を検出する温度検出器と、を備え、
温度が第１の温度である場合のアドレス期間を第１のアドレス期間とし、温度が前記第１の温度より高い第２の温度である場合のアドレス期間を第２のアドレス期間としたとき、
前記第２のアドレス期間は前記第１のアドレス期間よりも短いことを特徴とするプラズマディスプレイパネル。
【請求項３３】  
請求項３２記載のプラズマディスプレイパネルにおいて、
前記第１の駆動部は、温度が前記第１の温度である場合には、アドレス期間において第１の幅のアドレスパルスを前記アドレス電極に印加し、温度が前記第２の温度である場合には、アドレス期間において前記第１の幅よりも短い第２の幅のアドレスパルスを前記アドレス電極に印加することを特徴とするプラズマディスプレイパネル。
【請求項３４】  
請求項３２記載のプラズマディスプレイパネルにおいて、
前記第２の駆動部は、温度が前記第１の温度である場合には、アドレス期間において前記第１の幅のスキャンパルスを前記表示電極に印加し、温度が前記第２の温度である場合には、アドレス期間において前記第１の幅よりも短い第２の幅のスキャンパルスを前記表示電極に印加することを特徴とするプラズマディスプレイパネル。
【請求項３５】  
請求項３３記載のプラズマディスプレイパネルにおいて、
前記第２の駆動部は、温度が前記第１の温度である場合には、アドレス期間において前記第１の幅のアドレスパルスに対応する幅のスキャンパルスを前記表示電極に印加し、温度が前記第２の温度である場合には、アドレス期間において第２の幅のアドレスパルスに対応する幅のスキャンパルスを前記表示電極に印加することを特徴とするプラズマディスプレイパネル。
【請求項３６】  
請求項３４記載のプラズマディスプレイパネルにおいて、
前記第１の駆動部は、温度が前記第１の温度である場合には、アドレス期間において前記第１の幅のスキャンパルスに対応する幅のアドレスパルスを前記アドレス電極に印加し、温度が前記第２の温度である場合には、アドレス期間において第２の幅のスキャンパルスに対応する幅のアドレスパルスを前記アドレス電極に印加することを特徴とするプラズマディスプレイパネル。
【請求項３７】  
請求項３３、３５から３６の何れか記載のプラズマディスプレイパネルにおいて、
温度が前記第１の温度の場合には、前記アドレスパルスの幅を第１の幅とし、
温度が前記第１の温度よりも高い前記第２の温度の場合には、前記アドレスパルスの幅を前記第１の幅より短い第２の幅とし、
温度が前記第２の温度よりも高い第３の温度の場合には、前記アドレスパルスの幅を前記第２の幅より短い第３の幅とすることを特徴とするプラズマディスプレイパネル。
【請求項３８】  
請求項３４から３７の何れか記載のプラズマディスプレイパネルにおいて、
温度が前記第１の温度の場合には、前記スキャンパルスの幅を第１の幅とし、
温度が前記第１の温度よりも高い前記第２の温度の場合には、前記スキャンパルスの幅を前記第１の幅より短い第２の幅とし、
温度が前記第２の温度よりも高い第３の温度の場合には、前記スキャンパルスの幅を前記第２の幅より短い第３の幅とすることを特徴とするプラズマディスプレイパネル。
【請求項３９】  
請求項３４から３８の何れか記載のプラズマディスプレイパネルにおいて、
アドレス期間に前記表示電極に印加されるスキャンパルスの到達電位が、リセット期間に前記表示電極に印加される負極性のリセットパルスの到達電位よりも低いことを特徴とするプラズマディスプレイパネル。
【請求項４０】
請求項３４から３９の何れか記載のプラズマディスプレイパネルにおいて、
アドレス期間のセル非選択時に、前記表示電極に一定電位が印加されることを特徴とするプラズマディスプレイパネル。